(57)【要約】【課題】通水管をその折り曲げ方向に適した位置に引き出すことができ、通水管の設置作業の簡易化を図ることができる通水管の設置具を提供する。【解決手段】設置具１０は、可撓性を有する二本の通水管１７を壁材１５を貫通させて設置するためのものである。設置具１０は、壁材１５に設置される設置具本体２０と、該設置具本体２０の傾斜部２４に組み付けられる引出部材２９とを備えている。引出部材２９は、傾斜部２４の延設方向に延びる該傾斜部２４の中心軸線Ｌ１を回転中心として回転するように設置具本体２０に組み付け可能である。【選択図】      図１
2006207200.tif 000002
【特許請求の範囲】
【請求項１】
可撓性を有する複数の通水管を壁材を貫通させて設置するための通水管の設置具であって、
前記壁材に設置され、内部に通水管が引き込まれるとともに前記壁材の一側へ延設される筒体部を備えた設置具本体と、
前記設置具本体の前記筒体部に組み付けられ、該設置具本体の内部に引き込まれた前記複数の通水管を各々独立して前記壁材の一側に引き出し可能とする引出口を複数備えた引出部材とを備え、
前記引出部材は、前記筒体部の延設方向に延びる該筒体部の中心軸線を回転中心として回転可能であることを特徴とする通水管の設置具。
【請求項２】
前記設置具本体の壁材への設置状態にて、前記筒体部は前記中心軸線が前記壁材に対して傾斜している請求項１に記載の通水管の設置具。
【請求項３】
前記複数の引出口は、前記筒体部の中心軸線から外れた位置に形成されている請求項１又は請求項２に記載の通水管の設置具。
【請求項４】
前記引出部材には、二つの引出口が並設されている請求項１〜請求項３のうちいずれか一項に記載の通水管の設置具。
【請求項５】
前記引出部材には、三つの引出口が引出部材の正面視にて三角形の各角部となる位置に配設されている請求項１〜請求項３のうちいずれか一項に記載の通水管の設置具。
【発明の詳細な説明】
【技術分野】
【０００１】
本発明は、可撓性を有する複数本の通水管を壁材を貫通させて設置するための通水管の設置具に関する。
【背景技術】
【０００２】
例えば、建築物内のユニットバスにおいて、該ユニットバス内の水栓器具に接続される複数の通水管は、ユニットバスを構成する壁材を貫通してユニットバス外から引き込まれている（例えば、特許文献１参照。）。なお、以下の説明における「表」「裏」は、図９に示す矢印Ｘの方向を表裏方向とする。具体的には、図９に示すように、壁材９１の裏側には、通水管９７を引き込むための水栓ボックス９６が設置されている。この水栓ボックス９６は、壁材９１裏側に配設された取付部材９５を介して壁材９１裏側に設置されている。
【０００３】
また、壁材９１よりも浴槽側となる壁材９１の表側には継手プレート９４が設置されている。この継手プレート９４には、ガイドパイプ９４ａが二箇所（図９では一方のガイドパイプ９４ａのみ図示）形成され、それらガイドパイプ９４ａは継手プレート９４から二本の通水管９７を壁材９１表側へ引き出すために設けられている。この継手プレート９４は、該継手プレート９４から、壁材９１裏側の取付部材９５にビス９８を螺着することにより壁材９１の表側に設置されている。そして、壁材９１の裏側にて前記水栓ボックス９６内に引き込まれた二本の通水管９７は、それぞれ壁材９１を貫通して継手プレート９４内に引き込まれ、各ガイドパイプ９４ａ内を通過して壁材９１の表側へ引き出されている。
【特許文献１】特開平１１−２１００３０号公報
【発明の開示】
【発明が解決しようとする課題】
【０００４】
ところで、通水管９７は、継手プレート９４のガイドパイプ９４ａから壁材９１の表側へ引き出されている。そして、ガイドパイプ９４ａは、ビス９８によって取付部材９５に取付固定された継手プレート９４に一体形成されている。このため、各通水管９７の壁材９１表側への引出位置は一定位置（左右に並列した位置）に限られている。したがって、例えば、二本の通水管９７を、継手プレート９４の左側方に設けられた水栓器具に接続するためには、ガイドパイプ９４ａから引き出された二本の通水管９７をそれぞれ左側へ折り曲げなければならない。その結果、二本の通水管９７はその折り曲げ方向に沿って互いに重なることとなり、通水管９７の折り曲げ作業が行いにくく通水管９７の設置作業が非常に行いにくいという問題があった。
【０００５】
本発明は、このような従来の技術に存在する問題点に着目してなされたものであり、その目的は、通水管をその折り曲げ方向に適した位置に引き出すことができ、通水管の設置作業の簡易化を図ることができる通水管の設置具を提供することにある。
【課題を解決するための手段】
【０００６】
上記問題点を解決するために、請求項１に記載の発明は、可撓性を有する複数の通水管を壁材を貫通させて設置するための通水管の設置具であって、前記壁材に設置され、内部に通水管が引き込まれるとともに前記壁材の一側へ延設される筒体部を備えた設置具本体と、前記設置具本体の前記筒体部に組み付けられ、該設置具本体の内部に引き込まれた前記複数の通水管を各々独立して前記壁材の一側に引き出し可能とする引出口を複数備えた引出部材とを備え、前記引出部材は、前記筒体部の延設方向に延びる該筒体部の中心軸線を回転中心として回転可能であることを要旨とする。
【０００７】
請求項２に記載の発明は、請求項１に記載の通水管の設置具において、前記設置具本体の壁材への設置状態にて、前記筒体部は前記中心軸線が前記壁材に対して傾斜していることを要旨とする。
【０００８】
請求項３に記載の発明は、請求項１又は請求項２に記載の通水管の設置具において、前記複数の引出口は、前記筒体部の中心軸線から外れた位置に形成されていることを要旨とする。
【０００９】
請求項４に記載の発明は、請求項１〜請求項３のうちいずれか一項に記載の通水管の設置具において、前記引出部材には、二つの引出口が並設されていることを要旨とする。
請求項５に記載の発明は、請求項１〜請求項３のうちいずれか一項に記載の通水管の設置具において、前記引出部材には、三つの引出口が引出部材の正面視にて三角形の各角部となる位置に配設されていることを要旨とする。
【発明の効果】
【００１０】
本発明によれば、通水管をその折り曲げ方向に適した位置に引き出すことができ、通水管の設置作業の簡易化を図ることができる。
【発明を実施するための最良の形態】
【００１１】
以下、本発明をユニットバスに通水管を設置するための設置具（以下、単に設置具と記載する）に具体化した一実施形態を図１〜図６にしたがって説明する。なお、以下の説明における「上」「下」「左」「右」「表」「裏」は、図１及び図４に示す矢印Ｙ１の方向を上下方向とし、図４に示す矢印Ｙ２の方向を左右方向とする。さらに、図１に示す矢印Ｙ３の方向を表裏方向とする。
【００１２】
まず、ユニットバスＵの構成について説明する。図２に示すように、ユニットバスＵが設置される建物内にて、コンクリート面１１上には多数のジャッキ１２を介して防水パン１３が水平に支持されている。前記防水パン１３の上面には浴槽１４が設置され、防水パン１３の全周囲には壁材１５が立設されている。また、前記浴槽１４の側方に位置する壁材１５には、該浴槽１４に給水、給湯するための水栓器具（図示せず）が取り付けられている。
【００１３】
前記水栓器具には、可撓性を有する二本の通水管１７が接続されている。この通水管１７は、壁材１５に設置された設置具１０を用いてユニットバスＵに配設されている。なお、前記設置具１０は、壁材１５に穿設された貫通孔１５ａ（図１参照）を貫通するように壁材１５に設置される。通水管１７は、設置具１０によって壁材１５の一側たる表側へ引き出されるように、壁材１５の他側たる裏側から設置具１０の内部に引き込まれている。そして、前記ジャッキ１２、防水パン１３、浴槽１４、壁材１５、水栓器具、通水管１７、及び設置具１０によってユニットバスＵが構成され、該ユニットバスＵは、壁材１５の外側に立設された建物壁１６の内側に設置されている。
【００１４】
次に、前記設置具１０について説明する。図１及び図３に示すように、前記設置具１０は、壁材１５に設置され、筒体部としての傾斜部２４を備える設置具本体２０と、設置具本体２０の前記傾斜部２４に組み付けられる引出部材２９とを備えている。まず、設置具本体２０について説明する。設置具本体２０は、その全体形状が筒状に形成され、その内部に複数の通水管１７が引き込まれるようになっている。設置具本体２０は、壁材１５の表側にて通水管１７が引き込まれる第１部材２１と、壁材１５の裏側にて通水管１７が引き込まれ、第１部材２１へ通水管１７を引き込ませるための第２部材２２と、を組み付けて構成されている。
【００１５】
前記第１部材２１は、その一側（図１では表側）に円筒状をなす前記傾斜部２４を備え、他側（図１では裏側）に略半筒状をなす延設部２６を備えている。第１部材２１にて、前記傾斜部２４と延設部２６の境界となる位置には円板状をなす止水部２５が形成されている。第１部材２１は、前記傾斜部２４の止水部２５からの延設方向に延びる該傾斜部２４の中心軸線Ｌ１が前記止水部２５の表裏両面に対して斜めに交差するように傾斜して形成されている（図１参照）。一方、第１部材２１は、前記延設部２６の延設方向に延びる該延設部２６の中心軸線Ｌ２が前記止水部２５の表裏両面に対して直交するように形成されている（図１参照）。したがって、第１部材２１は、傾斜部２４と延設部２６が同一直線上に位置することなく止水部２５を境界として屈曲して形成されている。
【００１６】
前記傾斜部２４の外周面には第１ねじ部２４ａが螺刻されている。また、傾斜部２４の外面にて、前記第１ねじ部２４ａよりも止水部２５側には係止リブ２４ｃが４箇所に突設されている。さらに、傾斜部２４の内側には、第１部材２１内に挿入された通水管１７が挿通される内部空間２４ｂが形成されている（図１参照）。
【００１７】
なお、傾斜部２４の止水部２５側には化粧プレート２７が装着されるようになっている。この化粧プレート２７は円環状をなす化粧カバー２７ａとその化粧カバー２７ａから円筒状に延設された化粧筒部２７ｂとから構成されている。前記化粧カバー２７ａは前記止水部２５を被覆可能な大きさに形成されている。また、前記化粧筒部２７ｂは、該化粧筒部２７ｂにおける軸芯（図示せず）が化粧カバー２７ａに対して斜めに交差するように傾斜して形成されている。化粧筒部２７ｂの内周面には係止凹部２７ｃが４箇所に凹設され（図３参照）、化粧プレート２７が第１部材２１に装着された状態で、係止凹部２７ｃと前記係止リブ２４ｃとが係止し、第１部材２１に対する化粧プレート２７の回転が規制されるようになっている。
【００１８】
また、第１部材２１（傾斜部２４）には取付ナット２８が螺着され、該取付ナット２８によって第１部材２１（傾斜部２４）に前記引出部材２９が組み付けられるようになっている。前記取付ナット２８は略円筒状をなし、その内周には円状に延びる係合溝２８ａが凹設されている（図１参照）。取付ナット２８の内周面には、前記第１ねじ部２４ａに螺合可能な内周ねじ部２８ｂが螺刻されている。
【００１９】
第１部材２１において、前記延設部２６の内側は、止水部２５の内側を介して傾斜部２４の内部空間２４ｂと連通している（図１参照）。延設部２６の下部には、相対向する係合面２６ａが形成されている。また、延設部２６の外面には、同延設部２６の円弧に沿って第２ねじ部２６ｃが螺刻されている。
【００２０】
次に、前記第２部材２２について説明する。第２部材２２は、円弧状に湾曲して延びる円筒状をなすガイド部３１を備え、そのガイド部３１の上部に略円筒状をなす連結筒部３０が一体形成されて構成されている。そして、前記ガイド部３１内には複数本（本実施形態では二本）の通水管１７を挿入することが可能となっている。また、前記ガイド部３１の下端部には、合成樹脂製の鞘管３５を連結するための連結部３６が接続されている（図１参照）。
【００２１】
前記連結筒部３０は略円筒状をなす外周筒部３２により外郭が形成されている。その外周筒部３２の一端縁（図１では表側の端縁）には第１鍔部３２ａが形成され、他端縁（図１では裏側の端縁）には第２鍔部３２ｂが形成されている。また、連結筒部３０において、前記外周筒部３２の内側には内周筒部３３が形成され、その内周筒部３３は外周筒部３２の内周下部に一体形成されている。内周筒部３３の外周面と外周筒部３２の内周面との間には、第２部材２２の正面視において、下方に開口する円弧状をなす挿入孔３４が形成され、該挿入孔３４内に前記延設部２６が挿入可能に形成されている。また、前記内周筒部３３の下側であって、前記第２鍔部３２ｂ側からは係合板３３ｂが延設されている。
【００２２】
そして、挿入孔３４に延設部２６が挿入された状態では、延設部２６はその一部が連結筒部３０の第２鍔部３２ｂ側から外方へ突出し、第２ねじ部２６ｃが連結筒部３０外へ露出するようになっている。また、前記係合板３３ｂの両側には、一対の係合面２６ａが係合するようになっている。連結筒部３０外へ露出した第２ねじ部２６ｃには螺合部材２３が螺合されるようになっている。前記螺合部材２３は、その内周面に前記第２ねじ部２６ｃに螺合可能なねじ山２３ａが螺刻されている。
【００２３】
図１に示すように、壁材１５の表面と、止水部２５との間にはパッキンＰが配設される。このパッキンＰはゴム材料により円環状に形成されている。そして、第１部材２１と、第２部材２２とが組み付けられ、連結筒部３０外へ露出した第２ねじ部２６ｃに螺合部材２３が螺合されることにより、設置具本体２０が構成されるようになっている。そして、この設置具本体２０の設置状態では、壁材１５の表側には傾斜部２４が配設され、該傾斜部２４は設置具本体２０の内部に引き込まれる通水管１７を壁材１５の表側へ引き出し可能としている。
【００２４】
次に、前記引出部材２９について説明する。図１及び図３に示すように、引出部材２９は、周縁部にリブ２９ｂが立設された円板状の基板２９ａに略円筒状をなす二つの引出口２９ｃが延設されて形成されている。ここで、リブ２９ｂは、基板２９ａの周縁部に沿って円状に延びるように形成されている。また、両引出口２９ｃは基板２９ａに対して直交する方向へ延設されている。さらに、両引出口２９ｃは同一口径に形成され、各引出口２９ｃにはそれぞれ通水管１７を挿通可能になっている。また、二つの引出口２９ｃは、前記基板２９ａの中心点Ｒを通り（図４及び図６参照）、さらに基板２９ａの直径となる直線上に並設されている。さらに、引出口２９ｃは基板２９ａの中心点Ｒよりも基板２９ａの径方向外側に外れた位置に形成されている。
【００２５】
そして、図１に示すように、前記取付ナット２８の係合溝２８ａにリブ２９ｂを係合させることにより、引出部材２９を取付ナット２８に組み付けることが可能となっている。さらに、引出部材２９が組付けられた取付ナット２８を傾斜部２４の第１ねじ部２４ａに螺合することにより、第１部材２１に引出部材２９を組み付けることができるようになっている、その結果、設置具本体２０に引出部材２９が組み付けられ、設置具本体２０と引出部材２９を備えた設置具１０が構成されるようになっている。
【００２６】
この設置具１０において、前記引出部材２９の中心点Ｒは、傾斜部２４の中心軸線Ｌ１の延長線上に位置しており、前記引出口２９ｃの軸線はそれぞれ前記中心軸線Ｌ１の延長線に対して平行をなし、引出口２９ｃは前記中心軸線Ｌ１に対して直交する仮想平面Ｍ（図１参照）上に開口するように形成されている。そして、引出部材２９は前記中心軸線Ｌ１（中心点Ｒ）を回転中心として設置具本体２０、詳しくは取付ナット２８及び第１部材２１に対して回転可能に組み付け可能に構成されている。
【００２７】
次に、設置具１０を使用して、壁材１５に通水管１７を設置する方法について説明する。ここでは、まず、設置具１０よりも右方に設けられた水栓器具に二本の通水管１７を接続する場合について説明する。
【００２８】
まず、第１部材２１の延設部２６にパッキンＰを外挿する。次に、挿入孔３４が貫通孔１５ａに合致するように第２部材２２を壁材１５の裏側に配設し、延設部２６を壁材１５の表側から貫通孔１５ａを貫通させ、さらに挿入孔３４内に挿入して第２ねじ部２６ｃを連結筒部３０外に露出させる。
【００２９】
次に、壁材１５の裏側にて螺合部材２３を第２ねじ部２６ｃに螺合して、該螺合部材２３を延設部２６に螺着する。そして、止水部２５と螺合部材２３との間に、第２部材２２及びパッキンＰを介して壁材１５が挟持され、壁材１５に第１部材２１及び第２部材２２が取付けられるとともに、第１部材２１と第２部材２２が組み付けられて設置具本体２０が構成される。その後、壁材１５の表面と止水部２５との間のパッキンＰの外周にコーキング処理を行い、さらに、傾斜部２４の外周に化粧プレート２７を装着する。なお、コーキング作業は必ず行う必要はなく、省略してもよい。
【００３０】
壁材１５に設置具本体２０が設置された状態において、止水部２５の表裏両面は、壁材１５の壁面に対して平行をなしている。そして、傾斜部２４は、その中心軸線Ｌ１が壁材１５の壁面に対して斜めに傾斜している。具体的には、傾斜部２４は、壁材１５から離れるに従い斜め上方へ延びるように傾斜している。
【００３１】
次に、壁材１５の裏側にて第２部材２２の連結部３６に鞘管３５を連結し、その鞘管３５内に二本の通水管１７を挿通する。そして、それら通水管１７はガイド部３１の内周面により斜め上方へ案内され、壁材１５の裏側から壁材１５の表側に向かって設置具本体２０内に引き込まれる。さらに、二本の通水管１７は、内部空間２４ｂ内へ引き込まれ、傾斜部２４によって壁材１５の壁面から斜め上方へ延びるように案内される。
【００３２】
次いで、係合溝２８ａにリブ２９ｂを係合させて取付ナット２８と引出部材２９とを組付ける。そして、設置具本体２０内にて壁材１５の表側まで引き込まれた通水管１７に対し二つの引出口２９ｃを合致させ、それら引出口２９ｃに通水管１７を挿通する。
【００３３】
その後、水栓器具が設置具１０よりも右方に設けられているため、両通水管１７を設置具１０の右方へ曲げやすくするために、取付ナット２８が傾斜部２４に螺着される前に引出部材２９を中心軸線Ｌ１（中心点Ｒ）の延長線を回転中心として取付ナット２８に対して回転させる。そして、二つの引出口２９ｃが所定位置（上下位置）に位置するまで引出部材２９を回転させた後、引出部材２９が回転しないように手で抑えながら取付ナット２８を回転させて該取付ナット２８を傾斜部２４に螺着、固定する。すなわち、二本の通水管１７の引出位置が所定位置（上下位置）となるように引出部材２９を回転させた後に、取付ナット２８及び引出部材２９が傾斜部２４に組み付けられる。
【００３４】
又は、引出口２９ｃに通水管１７を挿通した後、取付ナット２８の内周ねじ部２８ｂを傾斜部２４の第１ねじ部２４ａにわずかだけ螺合した状態で引出部材２９を中心軸線Ｌ１（中心点Ｒ）を回転中心として取付ナット２８に対して回転させる。そして、二つの引出口２９ｃが所定位置（上下位置）に位置するまで引出部材２９を回転させた後、引出部材２９が回転しないように手で抑えながら取付ナット２８を回転させて該取付ナット２８を傾斜部２４に螺着、固定する。すなわち、取付ナット２８及び引出部材２９が傾斜部２４に組み付けられた後、二本の通水管１７の引出位置が所定位置（上下位置）となるように引出部材２９が回転される。したがって、本実施形態の設置具１０においては、引出部材２９は傾斜部２４に組み付けられる前又は組み付けた後のいずれにおいても回転可能となっており、該組み付け前及び組み付け後のいずれにおいても通水管１７の引出位置を調整することが可能となっている。
【００３５】
このとき、引出部材２９は中心軸線Ｌ１を回転中心として回転し、引出口２９ｃはそれぞれ中心軸線Ｌ１の延長線に対して平行をなし、さらに、中心軸線Ｌ１に直交する仮想平面Ｍ上に開口している。このため、引出口２９ｃは、中心軸線Ｌ１の周りを変位し、さらに引出口２９ｃが変位しても該引出口２９ｃは中心軸線Ｌ１に対して傾斜することはない。したがって、引出部材２９を回転させることによって、引出口２９ｃから引き出された通水管１７が傾斜部２４に対して傾斜してしまうことが阻止される。その結果、設置具１０を用いて壁材１５に通水管１７が設置される。
【００３６】
次に、二本の通水管１７を壁材１５の表側へ送り込み、所定長さだけ壁材１５の表側へ引き出した後、各通水管１７を水栓器具に接続する。図４に示すように、設置具１０の引出口２９ｃから引き出された二本の通水管１７は、それぞれ水栓器具に向かって右方へ折り曲げられる。このとき、二本の通水管１７は上下に位置している。このため、二本の通水管１７は、右方へ折り曲げられても互いに重なり合うことがない。また、二本の通水管１７の折り曲げ状態において、水栓器具に対して一方の通水管１７が他方の通水管１７よりも離れた位置から折り曲げられることがなく、最短距離を以て水栓器具に接続される。すなわち、設置具１０を使用することにより、二本の通水管１７を水栓器具に接続するのに適した位置に引き出すことが可能となる。
【００３７】
次に、設置具１０よりも上方に設けられた水栓器具に二本の通水管１７を接続する場合について説明する。なお、以下の説明における「上」「下」「左」「右」は、図６に示す矢印Ｙ４の方向を上下方向とし、矢印Ｙ５の方向を左右方向とする。この場合も、設置具本体２０内にて壁材１５の表側まで引き込まれた通水管１７を引出口２９ｃに挿通し、二本の通水管１７が左右に位置するように設置具本体２０に対して引出部材２９を回転させる。
【００３８】
その結果、図５及び図６に示すように、引出口２９ｃに挿通された通水管１７は左右に位置するように壁材１５の表側へ引き出される。その後、各通水管１７はそれぞれ水栓器具に向かって上方へ折り曲げられる。このときも、二本の通水管１７は、左右に位置したままの状態であるため、上方へ折り曲げられても互いに重なり合うことがない。また、二本の通水管１７の折り曲げ状態において、水栓器具に対して一方の通水管１７が他方の通水管１７よりも離れた位置から折り曲げられることがなく、最短距離を以て水栓器具に接続される。すなわち、設置具１０を使用することにより、二本の通水管１７を水栓器具に接続するのに適した位置に引き出すことが可能となる。
【００３９】
上記実施形態によれば、以下のような効果を得ることができる。
（１）引出部材２９を傾斜部２４の中心軸線Ｌ１を回転中心として回転可能に構成した。このため、引出部材２９を回転させ、引出口２９ｃを所定位置に位置させることにより、二本の通水管１７を水栓器具に接続するのに適した位置に引き出すことができる。その結果、二本の通水管１７を互いに重なり合うことなく折り曲げて水栓器具に接続することができ、設置具１０を用いることにより通水管１７の設置作業を容易に行うことができる。
【００４０】
（２）引出部材２９を傾斜部２４の中心軸線Ｌ１を回転中心として回転可能に構成した。このため、引出口２９ｃに通水管１７を挿通するとき、引出口２９ｃを通水管１７の引込位置に合致させることができ、通水管１７をその引込位置のまま引出口２９ｃに挿通することができる。その結果として、例えば、通水管１７の引出位置が一定位置に限られてしまっている場合のように、通水管１７を引出口２９ｃの配設位置に合致するように曲げ変形させる必要がなく、通水管１７の引込作業を容易に行うことができる。
【００４１】
（３）引出部材２９は、壁材１５に対して斜めに延設された傾斜部２４の中心軸線Ｌ１を回転中心として回転する。そして、引出口２９ｃは、傾斜部２４の中心軸線Ｌ１の延長線に対して平行をなし、中心軸線Ｌ１に直交する仮想平面Ｍ上に開口している。このため、引出部材２９を設置具本体２０に対して回転させても引出口２９ｃが傾斜部２４の中心軸線Ｌ１に対して傾斜してしまうことが阻止される。その結果、引出部材２９を回転させることによって、引出口２９ｃ、ひいては通水管１７が傾斜部２４に対して傾斜した所望しない方向へ延びてしまう不都合の発生を防止できる。
【００４２】
（４）引出口２９ｃは、中心軸線Ｌ１（中心点Ｒ）よりも基板２９ａの径方向外側へ外れた位置から延設されている。このため、引出部材２９を回転させたとき、各引出口２９ｃを回転前の位置から変位させることが可能となり、引出口２９ｃに挿通された通水管１７を、水栓器具に接続するのに適した位置へ確実に引き出すことができる。
【００４３】
（５）引出部材２９に二つの引出口２９ｃを形成した。この場合、引出部材２９を回転させることにより、二本の通水管１７のうちいずれか一方が他方よりも水栓器具から遠い位置から折り曲げられることが無くなり、両通水管１７を水栓器具へ最短距離で接続することができる。
【００４４】
（６）基板２９ａを円板状に形成し、その基板２９ａの周縁部にリブ２９ｂを形成した。そして、取付ナット２８に係合溝２８ａを円状に形成し、係合溝２８ａとリブ２９ｂを係合させた。このため、引出部材２９をその全周方向へ回転させることが可能となり、引出口２９ｃの位置、すなわち通水管１７の位置を正確に調節することができる。
【００４５】
なお、本実施形態は以下のように変更してもよい。
・  実施形態において、取付ナット２８と引出部材２９を組み付ける前に引出口２９ｃに通水管１７を挿通し、その後、引出部材２９を中心軸線Ｌ１（中心点Ｒ）の延長線を回転中心として回転させ、二つの引出口２９ｃを所定位置（上下位置）に位置させる。その後、引出部材２９に取付ナット２８を組み付け、該取付ナット２８を傾斜部２４に螺着してもよい。
【００４６】
・  実施形態において、取付ナット２８と引出部材２９を組み付ける前に引出口２９ｃに通水管１７を挿通し、その後、引出部材２９を傾斜部２４に組み付け、中心軸線Ｌ１（中心点Ｒ）の延長線を回転中心として回転させ、二つの引出口２９ｃを所定位置（上下位置）に位置させる。その後、引出部材２９に取付ナット２８を組み付け、該取付ナット２８を傾斜部２４に螺着してもよい。
【００４７】
・  実施形態において、引出口２９ｃを筒状に形成せず、引出口２９ｃを基板２９ａに孔を穿設しただけの構成としてもよい。
・  実施形態において、三つの引出口２９ｃを引出部材２９の正面視にて基板２９ａの直径上に直線状に並列するように設けてもよい。
【００４８】
・  実施形態において、図７に示すように、三つの引出口２９ｃを各引出口２９ｃが基板２９ａの正面視にて三角形の各角部に位置するように設けてもよい。この場合、三つの引出口２９ｃのうち、特殊配管３７を引き出すための一つの引出口２９ｃＡは、通水管１７を引き出すための他の二つの引出口２９ｃＢとは口径が異なるように形成されている。そして、この場合は、引出部材２９を回転させることにより、前記特殊配管３７をその接続先への接続に適した位置に引き出すことが可能となる。
【００４９】
また、例えば、設置具本体２０内にて通水管１７の引出位置を変更できない状態となった場合においては、引出部材２９を回転させることにより通水管１７の引出位置に引出口２９ｃを合致させることができる。特に、口径の異なる２種類の引出口２９ｃＡ，Ｂを備える場合においては、引出部材２９の回転によって特殊配管３７用の引出口２９ｃＡを特殊配管３７の引込位置に合致させることができ有効である。
【００５０】
・  図８に示すように、二つの引出口２９ｃが斜めに位置するように引出部材２９を回転させてもよい。
・  実施形態において、引出口２９ｃを四つ以上設けてもよい。
【００５１】
・  実施形態において、基板２９ａの形状は、引出部材２９が中心軸線Ｌ１を回転中心として回転可能であれば円形状ではなく多角形状等に変更してもよい。
・  実施形態において、引出部材２９を設置具本体２０（取付ナット２８及び第１部材２１）に対して所定角度（例えば、９０度、４５度）だけ回転可能にしてもよい。
【００５２】
・  実施形態において、設置具本体２０を第１部材２１における傾斜部（筒体部）２４と引出部材２９（取付ナット２８）のみで構成し、傾斜部２４に引出部材２９を取付ナット２８によって組み付けて設置具１０としてもよい。このとき、傾斜部２４は、壁材１５に接着剤やビス等によって取り付けられる。すなわち、設置具１０は、引出部材２９が傾斜部２４に対して回転可能であれば壁材１５への設置方法は実施形態に限定されず任意に変更してもよい。
【００５３】
・  実施形態において、第１部材２１をその筒体部が止水部２５に対して傾斜せず、止水部２５の直交方向へ延設するように形成してもよい。このとき、設置具１０の壁材１５への設置状態において、設置具本体２０は壁材１５の壁面に直交するように壁材１５に設置される。
【００５４】
・  実施形態では、ユニットバスＵ内に通水管１７を引込設置する場合に設置具１０を用いたが、建物壁１６の外側に配設された熱源器に接続された通水管１７を、建物内の水栓器具に接続する際に、設置具１０を用いて壁材としての建物壁１６に通水管１７を設置してもよい。
【００５５】
次に、上記実施形態及び別例から把握できる技術的思想について以下に追記する。
（１）  前記引出部材には、三つ以上の引出口が引出部材の正面視にて直線状に並設されている請求項１〜請求項３のうちいずれか一項に記載の通水管の設置具。
【００５６】
（２）  前記引出口は、前記中心軸線に対して直交する面上に開口して形成されている請求項１〜請求項５のうちいずれか一項に記載の通水管の設置具。
【図面の簡単な説明】
【００５７】
【図１】実施形態の設置具を用いて通水管を設置した状態を示す断面図。
【図２】ユニットバスの構成を示す断面図。
【図３】実施形態の設置具を示す分解斜視図。
【図４】上下に位置する通水管を壁材表側へ引き出した状態を示す正面図。
【図５】実施形態の設置具を用いて通水管を設置した状態を示す断面図。
【図６】左右に位置する通水管を壁材表側へ引き出した状態を示す正面図。
【図７】別例の引出部材を用いて通水管を壁材表側へ引き出した状態を示す正面図。
【図８】二つの引出口を斜めに位置するように引出部材を回転させた状態の正面図。
【図９】背景技術を説明する側面図。
【符号の説明】
【００５８】
Ｌ１…中心軸線、１０…通水管の設置具、１５…壁材、１７…通水管、２０…設置具本体、２４…筒体部としての傾斜部、２９…引出部材、２９ｃ（２９ｃＡ，２９ｃＢ）…引出口。
【図１】
2006207200.tif 000003
【図２】
2006207200.tif 000004
【図３】
2006207200.tif 000005
【図４】
2006207200.tif 000006
【図５】
2006207200.tif 000007
【図６】
2006207200.tif 000008
【図７】
2006207200.tif 000009
【図８】
2006207200.tif 000010
【図９】
2006207200.tif 000011